(57)【要約】【課題】  適応フィルタリング処理及び合成ダイバーシティの特性を活かしつつ、再生用の信号の品質を高める。【解決手段】  第１再生用信号生成部１３１1が、信号ＩＦＤMに対して適応フィルタリング処理を行い、レベルを一定化した信号ＦＬＤ1を生成する。また、第２再生用信号生成部１３１2が、信号ＩＦＤSに対して適応フィルタリング処理を行い、この適応フィルタリング処理により得られた信号ＤＦＤと、信号ＦＬＤ1とを重み付け加算した信号のレベルを一定化した信号ＦＬＤ2を生成する。そして、信号ＦＬＤ1のレベルと基準レベルとのレベル差を反映した誤差ＥＲ1、及び、信号ＦＬＤ2のレベルと当該基準レベルとのレベル差を反映した誤差ＥＲ2に基づいて、制御ユニット１９０Ａが、信号ＦＬＤ1及び信号ＦＬＤ2のいずれを再生用の信号として用いるかの選択を制御する。【選択図】  図２
2016154295.tif 000002
【特許請求の範囲】
【請求項１】
第１アンテナで受信し、選局したチャンネルの放送信号の周波数変換を行って、第１周波数変換信号を生成する第１周波数変換部と；
前記第１アンテナとは異なる第２アンテナで受信し、前記選局したチャンネルの放送信号の周波数変換を行って、第２周波数変換信号を生成する第２周波数変換部と；
前記第１周波数変換信号に対して第１適応フィルタリング処理を行い、レベルを一定化した第１再生用信号を生成する第１再生用信号生成部と；
前記第２周波数変換信号に対して第２適応フィルタリング処理を行い、前記第２適応フィルタリング処理により得られた信号と前記第１再生用信号とを重み付け加算した信号のレベルを一定化した第２再生用信号を生成する第２再生用信号生成部と；
前記第１再生用信号の信号品質と、前記第２再生用信号の信号品質とに基づいて、前記第１再生用信号及び前記第２再生用信号のいずれを選択するかを制御する制御部と；
を備えることを特徴とするダイバーシティ受信装置。
【請求項２】
前記第２適応フィルタリング処理は、前記第１再生用信号のレベルと前記第２再生用信号のレベルとを同一化させる処理である、ことを特徴とする請求項１に記載のダイバーシティ受信装置。
【請求項３】
前記制御部は、前記第１再生用信号の信号品質が前記第２再生用信号の信号品質よりも予め定められた品質差以上高い場合、前記第１再生用信号を選択する制御を行う、ことを特徴とする請求項１又は２に記載のダイバーシティ受信装置。
【請求項４】
前記制御部は、前記第１再生用信号の信号品質の指標として、前記第１適応フィルタリング処理における基準レベルと前記第１再生用信号のレベルとの差を反映した第１誤差情報を取得するとともに、前記第２再生用信号の信号品質の指標として、前記第２適応フィルタリング処理における基準レベルと前記第２再生用信号のレベルとの差を反映した第２誤差情報を取得する、ことを特徴とする請求項１〜３のいずれか一項に記載のダイバーシティ受信装置。
【請求項５】
前記第１再生用信号の検波を行う第１検波部と；
前記第１検波部による検波結果の信号に含まれるノイズレベルを検出する第１ノイズレベル検出部と；
前記第２再生用信号の検波を行う第２検波部と；
前記第２検波部による検波結果の信号に含まれるノイズレベルを検出する第２ノイズレベル検出部と；を更に備え、
前記制御部は、前記第１再生用信号の信号品質の指標として、前記第１ノイズレベル検出部による検出結果を取得するとともに、前記第２再生用信号の信号品質の指標として、前記第２ノイズレベル検出部による検出結果を取得する、
ことを特徴とする請求項１〜３のいずれか一項に記載のダイバーシティ受信装置。
【請求項６】
前記第１ノイズレベル検出部は、前記第１再生用信号に含まれる音声帯域よりも高い周波数範囲の成分のレベルを検出し、
前記第２ノイズレベル検出部は、前記第２再生用信号に含まれる前記音声帯域よりも高い周波数範囲の成分のレベルを検出する、
ことを特徴とする請求項５に記載のダイバーシティ受信装置。
【請求項７】
第１アンテナで受信し、選局したチャンネルの放送信号の周波数変換を行って、第１周波数変換信号を生成する第１周波数変換部と；前記第１アンテナとは異なる第２アンテナで受信し、前記選局したチャンネルの放送信号の周波数変換を行って、第２周波数変換信号を生成する第２周波数変換部と；を備えるダイバーシティ受信装置において使用されるダイバーシティ受信方法であって、
前記第１周波数変換信号に対して第１適応フィルタリング処理を行い、レベルを一定化した第１再生用信号を生成する第１再生用信号生成工程と；
前記第２周波数変換信号に対して第２適応フィルタリング処理を行い、前記第２適応フィルタリング処理により得られた信号と前記第１再生用信号とを重み付け加算した信号のレベルを一定化した第２再生用信号を生成する第２再生用信号生成工程と；
前記第１再生用信号の信号品質と、前記第２再生用信号の信号品質とに基づいて、前記第１再生用信号及び前記第２再生用信号のいずれを選択するかを制御する制御工程と；
を備えることを特徴とするダイバーシティ受信方法。
【請求項８】
ダイバーシティ受信装置が有するコンピュータに、請求項７に記載のダイバーシティ受信方法を実行させる、ことを特徴とするダイバーシティ受信プログラム。
【請求項９】
ダイバーシティ受信装置が有するコンピュータにより読み取り可能に、請求項８に記載のダイバーシティ受信プログラムが記録されている、ことを特徴とする記録媒体。
【発明の詳細な説明】
【技術分野】
【０００１】
本発明は、ダイバーシティ受信装置、ダイバーシティ受信方法及びダイバーシティ受信プログラム、並びに、当該ダイバーシティ受信プログラムが記録された記録媒体に関する。
【背景技術】
【０００２】
従来から、車両等の移動体に搭載され、放送波を受信する受信装置が広く普及している。こうした受信装置では、周囲の建築物の壁面での放送波の反射に起因するマルチパス現象等による放送コンテンツの再生品質の低下が問題となる。この問題に対処するために、適応フィルタの技術を採用することが提案されている（非特許文献１参照）。
【０００３】
かかる適応フィルタの技術と、合成ダイバーシティの技術とを組み合わせたダイバーシティ受信装置の技術も提案されている（特許文献１参照：以下、「従来例」という）。この従来例の技術としては、（ｉ）複数のアンテナのそれぞれの受信信号に対して互いに独立した適応フィルタリング処理を施した後に、適応フィルタリング処理が施された後の複数の信号を合成する技術、及び、（ii）複数のアンテナのそれぞれの受信信号に対してフィルタリング処理を施した後に当該フィルタリング処理が施された複数の信号を合成し、当該合成信号に基づいて、複数のアンテナのそれぞれの受信信号に対するフィルタリング処理を適応化させる技術が開示されている。
【先行技術文献】
【特許文献】
【０００４】
【特許文献１】特開２００４−０４０４２４号公報
【非特許文献】
【０００５】
【非特許文献１】伊丹他、テレビジョン学会誌、Ｖｏｌ．４２、Ｎｏ．５（１９８８）、ｐｐ．４７８〜４８３
【発明の概要】
【発明が解決しようとする課題】
【０００６】
上述した従来例の技術では、複数のアンテナで受信した信号のそれぞれの各時点における重みを同等として、適応フィルタリング処理及び合成ダイバーシティを行っている。この結果、例えば、アンテナ間で受信信号の品質に大きな差がある期間における合成信号の品質は、受信品質がより高い受信信号の品質よりも低くなってしまう。
【０００７】
このため、適応フィルタリング処理及び合成ダイバーシティの特性を活かしつつ、再生用の信号の品質を高めることができる技術が待望されている。かかる要請に応えることが、本発明が解決すべき課題の一つとして挙げられる。
【課題を解決するための手段】
【０００８】
請求項１に記載の発明は、第１アンテナで受信し、選局したチャンネルの放送信号の周波数変換を行って、第１周波数変換信号を生成する第１周波数変換部と；前記第１アンテナとは異なる第２アンテナで受信し、前記選局したチャンネルの放送信号の周波数変換を行って、第２周波数変換信号を生成する第２周波数変換部と；前記第１周波数変換信号に対して第１適応フィルタリング処理を行い、レベルを一定化した第１再生用信号を生成する第１再生用信号生成部と；前記第２周波数変換信号に対して第２適応フィルタリング処理を行い、前記第２適応フィルタリング処理により得られた信号と前記第１再生用信号とを重み付け加算した信号のレベルを一定化した第２再生用信号を生成する第２再生用信号生成部と；前記第１再生用信号の信号品質と、前記第２再生用信号の信号品質とに基づいて、前記第１再生用信号及び前記第２再生用信号のいずれを選択するかを制御する制御部と；を備えることを特徴とするダイバーシティ受信装置である。
【０００９】
請求項７に記載の発明は、第１アンテナで受信し、選局したチャンネルの放送信号の周波数変換を行って、第１周波数変換信号を生成する第１周波数変換部と；前記第１アンテナとは異なる第２アンテナで受信し、前記選局したチャンネルの放送信号の周波数変換を行って、第２周波数変換信号を生成する第２周波数変換部と；を備えるダイバーシティ受信装置において使用されるダイバーシティ受信方法であって、前記第１周波数変換信号に対して第１適応フィルタリング処理を行い、レベルを一定化した第１再生用信号を生成する第１再生用信号生成工程と；前記第２周波数変換信号に対して第２適応フィルタリング処理を行い、前記第２適応フィルタリング処理により得られた信号と前記第１再生用信号とを重み付け加算した信号のレベルを一定化した第２再生用信号を生成する第２再生用信号生成工程と；前記第１再生用信号の信号品質と、前記第２再生用信号の信号品質とに基づいて、前記第１再生用信号及び前記第２再生用信号のいずれを選択するかを制御する制御工程と；を備えることを特徴とするダイバーシティ受信方法である。
【００１０】
請求項８に記載の発明は、ダイバーシティ受信装置が有するコンピュータに、請求項７に記載のダイバーシティ受信方法を実行させる、ことを特徴とするダイバーシティ受信プログラムである。
【００１１】
請求項９に記載の発明は、ダイバーシティ受信装置が有するコンピュータにより読み取り可能に、請求項８に記載のダイバーシティ受信プログラムが記録されている、ことを特徴とする記録媒体である。
【図面の簡単な説明】
【００１２】
【図１】本発明の第１実施形態のダイバーシティ受信装置の概略的な構成を説明するためのブロック図である。
【図２】図１の信号処理ユニットの構成を示すブロック図である。
【図３】図２の第１再生用信号生成部の構成を示すブロック図である。
【図４】図３のデジタルフィルタ部の構成を示すブロック図である。
【図５】図２の第２再生用信号生成部の構成を示すブロック図である。
【図６】本発明の第２実施形態のダイバーシティ受信装置の概略的な構成を説明するためのブロック図である。
【図７】図６の信号処理ユニットの構成を示すブロック図である。
【発明を実施するための形態】
【００１３】
以下、本発明の実施形態を、添付図面を参照して説明する。なお、以下の説明及び図面においては、同一又は同等の要素には同一の符号を付し、重複する説明を省略する。
【００１４】
［第１実施形態］
まず、本発明の第１実施形態を、図１〜図５を参照して説明する。
【００１５】
＜構成＞
図１には、第１実施形態に係るダイバーシティ受信装置１００Ａの概略的な構成がブロック図にて示されている。この図１に示されるように、ダイバーシティ受信装置１００Ａは、アンテナ１１０M，１１０Sと、ＲＦ処理ユニット１２０M，１２０Sと、信号処理ユニット１３０Ａと、ステレオ復調ユニット１４０とを備えている。また、ダイバーシティ受信装置１００Ａは、音出力ユニット１６０L，１６０Rと、入力ユニット１７０と、制御ユニット１９０Ａとを備えている。
【００１６】
上記のアンテナ１１０Mは、放送波を受信する。そして、アンテナ１１０Mによる受信結果は、受信信号ＲＦＳMとして、ＲＦ処理ユニット１２０Mへ送られる。
【００１７】
上記のアンテナ１１０Sは、アンテナ１１０Mと同様に放送波を受信する。そして、アンテナ１１０Sによる受信結果は、受信信号ＲＦＳSとして、ＲＦ処理ユニット１２０Sへ送られる。
【００１８】
上記のＲＦ処理ユニット１２０Mは、上述したアンテナ１１０Mから送られた受信信号ＲＦＳMを受ける。そして、ＲＦ処理ユニット１２０Mは、制御ユニット１９０Ａから送られた選局指令ＣＳＬMに従って、再生チャンネルにおける放送波のパイロット信号成分の周波数を所定の中間周波数に変換する周波数変換を行い、当該周波数変換が行われた信号ＩＦＤMを生成する。こうして生成された信号ＩＦＤMは、信号処理ユニット１３０Ａへ送られる。
【００１９】
ここで、ＲＦ処理ユニット１２０Mは、入力フィルタと、高周波増幅器（ＲＦ ＡＭＰ：Radio Frequency-Amplifier）と、バンドパスフィルタ（以下、「ＲＦフィルタ」とも呼ぶ）とを備えている。また、ＲＦ処理ユニット１２０Mは、ミキサ（混合器）と、中間周波フィルタ（以下、「ＩＦフィルタ」とも呼ぶ）と、中間周波増幅器（ＩＦ ＡＭＰ：Intermediate Frequency-Amplifier）とを備えている。さらに、ＲＦ処理ユニット１２０Mは、局部発振回路（ＯＳＣ）と、ＡＤ変換器（Analogue to Digital Converter：ＡＤＣ）とを備えている。
【００２０】
入力フィルタは、アンテナ１１０Mから送られた受信信号ＲＦＳMの低周波成分を遮断するハイパスフィルタである。高周波増幅器は、入力フィルタを通過した信号を増幅する。
【００２１】
ＲＦフィルタは、高周波増幅器から出力された信号のうち、特定の周波数範囲の信号を選択的に通過させる。ミキサは、ＲＦフィルタを通過した信号と、局部発振回路から供給された局部発振信号とを混合する。
【００２２】
ＩＦフィルタは、ミキサから出力された信号のうち、予め定められた中間周波数範囲の信号を選択して通過させる。中間周波増幅器は、ＩＦフィルタを通過した信号を増幅する。そして、ＡＤ変換器が、中間周波増幅器による増幅結果をデジタル信号に変換し、信号ＩＦＤMとして、信号処理ユニット１３０Ａへ送る。
【００２３】
局部発振回路は、電圧制御等により発振周波数の制御が可能な発振器等を備えて構成される。この局部発振回路は、制御ユニット１９０Ａから供給された選局指令ＣＳＬMに従って、ＲＦ処理ユニット１２０Mにおいて選局すべきチャンネルに対応する周波数の局部発振信号を生成し、ミキサへ供給する。
【００２４】
上記のＲＦ処理ユニット１２０Sは、アンテナ１１０Sから送られた受信信号ＲＦＳSを受ける。そして、ＲＦ処理ユニット１２０Sは、制御ユニット１９０Ａから送られた選局指令ＣＳＬSに従って、再生チャンネルにおける放送波のパイロット信号成分の周波数を所定の中間周波数に変換する周波数変換を行い、当該周波数変換が行われた信号ＩＦＤSを生成する。こうして生成された信号ＩＦＤSは、信号処理ユニット１３０Ａへ送られる。
【００２５】
なお、ＲＦ処理ユニット１２０Sは、上述したＲＦ処理ユニット１２０Mと同様に構成されている。また、第１実施形態では、選局指令ＣＳＬSと選局指令ＣＳＬMとは、同一のチャンネルを指定する選局指令となっている。
【００２６】
上記の信号処理ユニット１３０Ａは、ＲＦ処理ユニット１２０Mから送られた信号ＩＦＤM、及び、ＲＦ処理ユニット１２０Sから送られた信号ＩＦＤSを受ける。引き続き、信号処理ユニット１３０Ａは、信号ＩＦＤM及び信号ＩＦＤSに対して信号処理を施す。そして、信号処理ユニット１３０Ａは、制御ユニット１９０Ａから送られた選択指定ＳＬＣに従って選択された信号を、信号ＣＳＤとしてステレオ復調ユニット１４０へ送る。
【００２７】
また、信号処理ユニット１３０Ａは、上述した信号処理に際して得られた誤差ＥＲ1，ＥＲ2を制御ユニット１９０Ａへ送る。なお、信号処理ユニット１３０Ａの構成については、後述する。
【００２８】
上記のステレオ復調ユニット１４０は、信号処理ユニット１３０Ａから送られた信号ＣＳＤを受ける。そして、ステレオ復調ユニット１４０は、セパレーション処理を含めたステレオ復調処理を信号ＣＳＤに対して施し、出力音声信号ＡＯＤL，ＡＯＤRを生成する。こうして生成された出力音声信号ＡＯＤL，ＡＯＤRは、音出力ユニット１６０L，１６０Rへ送られる。
【００２９】
上記の音出力ユニット１６０Lは、ＤＡ（Digital to Analogue）変換器、電子ボリューム、スピーカ等を備えて構成される。この音出力ユニット１６０Lは、ステレオ復調ユニット１４０から送られた出力音声信号ＡＯＤL、及び、制御ユニット１９０Ａから送られた音量指定ＶＬＣを受ける。そして、音出力ユニット１６０Lは、音量指定ＶＬＣに従った音量で、出力音声信号ＡＯＤLに対応する音声を出力する。
【００３０】
上記の音出力ユニット１６０Rは、音出力ユニット１６０Lと同様に、ＤＡ変換器、電子ボリューム、スピーカ等を備えて構成される。この音出力ユニット１６０Rは、ステレオ復調ユニット１４０から送られた出力音声信号ＡＯＤR、及び、制御ユニット１９０Ａから送られた音量指定ＶＬＣを受ける。そして、音出力ユニット１６０Rは、音量指定ＶＬＣに従った音量で、出力音声信号ＡＯＤRに対応する音声を出力する。
【００３１】
上記の入力ユニット１７０は、ダイバーシティ受信装置１００Ａの本体部に設けられたキー部及び／又はキー部を備えるリモート入力装置等により構成される。ここで、本体部に設けられたキー部としては、不図示の表示ユニットに設けられたタッチパネルを用いることができる。なお、キー部を有する構成に代えて、又は、併用して音声認識技術を利用して音声にて入力する構成を採用することもできる。入力ユニット１７０への入力結果は、入力データＩＰＤとして制御ユニット１９０Ａへ送られる。この入力ユニット１７０を操作することにより、利用者は、再生チャンネルの指定、出力音量の指定等を入力できるようになっている。
【００３２】
上記の制御ユニット１９０Ａは、ダイバーシティ受信装置１００Ａの全体の動作を制御する。この制御ユニット１９０Ａは、入力ユニット１７０に入力された放送音声の再生対象となる再生チャンネルの指定が入力データＩＰＤとして通知されると、当該再生チャンネルの指定に従って再生チャンネルの選局指令ＣＳＬM，ＣＳＬSを生成する。そして、制御ユニット１９０Ａは、生成された選局指令ＣＳＬM，ＣＳＬSをＲＦ処理ユニット１２０M，１２０Sへ送る。
【００３３】
また、制御ユニット１９０Ａは、入力ユニット１７０に入力された出力音量の指定が入力データＩＰＤとして通知されると、当該出力音量の指定に従って音量指定ＶＬＣを生成する。そして、制御ユニット１９０Ａは、生成された音量指定ＶＬＣを音出力ユニット１６０L，１６０Rへ送る。
【００３４】
さらに、制御ユニット１９０Ａは、信号処理ユニット１３０Ａから送られた誤差ＥＲ1，ＥＲ2を受ける。そして、制御ユニット１９０Ａは、誤差ＥＲ1，ＥＲ2に基づいて選択指定ＳＬＣを生成し、生成された選択指定ＳＬＣを信号処理ユニット１３０Ａへ送る。なお、制御ユニット１９０Ａによる選択指定ＳＬＣの生成処理については、後述する。
【００３５】
《信号処理ユニット１３０Ａの構成》
次に、上述した信号処理ユニット１３０Ａの構成について説明する。信号処理ユニット１３０Ａは、図２に示されるように、第１再生用信号生成部１３１1と、第２再生用信号生成部１３１2と、選択部１３２と、検波部１３３とを備えている。
【００３６】
上記の第１再生用信号生成部１３１1は、ＲＦ処理ユニット１２０Mから送られた信号ＩＦＤMを受ける。そして、第１再生用信号生成部１３１1は、信号ＩＦＤMに対して適応フィルタリング処理を行い、レベルを一定化した信号ＦＬＤ1を生成する。こうして生成された信号ＦＬＤ1は、第２再生用信号生成部１３１2及び選択部１３２へ送られる。
【００３７】
また、第１再生用信号生成部１３１1は、信号ＩＦＤMに対する適応フィルタリング処理の際に得られた誤差ＥＲ1を制御ユニット１９０Ａへ送る。なお、第１再生用信号生成部１３１1の構成の詳細については、後述する。
【００３８】
上記の第２再生用信号生成部１３１2は、ＲＦ処理ユニット１２０Sから送られた信号ＩＦＤSを受ける。そして、第２再生用信号生成部１３１2は、信号ＩＦＤSに対して適応フィルタリング処理を行い、この適応フィルタリング処理により得られた信号と信号ＦＬＤ1とを重み付け加算した信号のレベルを一定化した信号ＦＬＤ2を生成する。こうして生成された信号ＦＬＤ2は、選択部１３２へ送られる。
【００３９】
また、第２再生用信号生成部１３１2は、信号ＩＦＤSに対する適応フィルタリング処理の際に得られた誤差ＥＲ2を制御ユニット１９０Ａへ送る。なお、第２再生用信号生成部１３１2の構成の詳細については、後述する。
【００４０】
上記の選択部１３２は、第１再生用信号生成部１３１1から送られた信号ＦＬＤ1、及び、第２再生用信号生成部１３１2から送られた信号ＦＬＤ2を受ける。そして、選択部１３２は、制御ユニット１９０Ａから送られた選択指定ＳＬＣに従って信号ＦＬＤ1及び信号ＦＬＤ2のいずれかを選択し、選択された信号を、信号ＳＬＤとして、検波部１３３へ送る。
【００４１】
上記の検波部１３３は、選択部１３２から送られた信号ＳＬＤを受ける。そして、検波部１３３は、信号ＳＬＤに対して検波処理を施して信号ＣＳＤを生成する。こうして生成された信号ＣＳＤは、ステレオ復調ユニット１４０へ送られる。
【００４２】
（第１再生用信号生成部１３１1の構成）
次いで、上述した第１再生用信号生成部１３１1の構成について説明する。
【００４３】
第１再生用信号生成部１３１1は、図３に示されるように、デジタルフィルタ部２２０1を備えている。また、第１再生用信号生成部１３１1は、誤差算出部２３０1と、係数更新部２４０1とを備えている。
【００４４】
上記のデジタルフィルタ部２２０1は、第１実施形態では、ＦＩＲ（Finite Impulse Response）フィルタとして構成されている。このデジタルフィルタ部２２０1は、ＲＦ処理ユニット１２０Mから送られた信号ＩＦＤMを受ける。そして、デジタルフィルタ部２２０1は、係数更新部２４０1から送られた係数指定ＣＥＦ1に従って、フィルタリング演算を行い、信号ＦＬＤ1を生成する。こうして生成された信号ＦＬＤ1は、誤差算出部２３０1、係数更新部２４０1、第２再生用信号生成部１３１2及び選択部１３２へ送られる。
【００４５】
ここで、デジタルフィルタ部２２０1の構成について説明する。デジタルフィルタ部２２０1は、図４に示されるように、（Ｍ−１）個の遅延器２２１1〜２２１M-1と、Ｍ個の係数倍器２２２0〜２２２M-1とを備えている。また、デジタルフィルタ部２２０1は、加算器２２３を備えている。
【００４６】
上記の遅延器２２１j（ｊ＝１〜Ｍ−１）のそれぞれは、入力した信号Ｘj-1（Ｔ）を単位遅延時間τだけ遅延させ、信号Ｘj（Ｔ＋τ）として出力する。ここで、信号Ｘ0（Ｔ）が、ＲＦ処理ユニット１２０Mから送られた信号ＩＦＤMとなっている。この結果、信号Ｘj（Ｔ）と信号Ｘ0（Ｔ）と関係は、次の（１）式で表される。
Ｘj（Ｔ）＝Ｘ0（Ｔ−ｊ・τ）              …（１）
【００４７】
なお、第１実施形態では、遅延器２２１jのそれぞれは、周期が単位遅延時間τの不図示の基準クロックに同期して信号Ｘj-1（Ｔ）をサンプリングして、信号Ｘj（Ｔ＋τ）として出力する。このため、単位遅延時間τの間、サンプリング結果が遅延器２２１jに保持されて、出力されるようになっている。ここで、単位遅延時間τは、信号Ｘ0（Ｔ）に含まれる搬送波成分の周期の１／４となっている。
【００４８】
遅延器２２１jにより生成された信号Ｘj（Ｔ）は、係数倍器２２２jへ送られる。なお、係数倍器２２２0へは、信号Ｘ0（Ｔ）が送られるようになっている。
【００４９】
上記の係数倍器２２２m（ｍ＝０〜Ｍ−１）のそれぞれは、信号Ｘm（Ｔ）、及び、係数更新部２４０1から送られた係数指定ＣＥＦ1におけるタップ係数Ｋm（Ｔ）を受ける。そして、係数倍器２２２mは、信号Ｘm（Ｔ）とタップ係数Ｋm（Ｔ）とを乗算する。この乗算の結果は、加算器２２３へ送られる。
【００５０】
上記の加算器２２３は、係数倍器２２２0〜２２２M-1による乗算結果［Ｘ0（Ｔ）・Ｋ0（Ｔ）］〜［ＸM-1（Ｔ）・ＫM-1（Ｔ）］を受ける。そして、加算器２２３は、次の（２）式により、信号Ｙ（Ｔ）を算出する。
Ｙ（Ｔ）＝Ｘ0（Ｔ）・Ｋ0（Ｔ）＋…＋ＸM-1（Ｔ）・ＫM-1（Ｔ）      …（２）
【００５１】
こうして算出された信号Ｙ（Ｔ）が、信号ＦＬＤ1として、誤差算出部２３０1、係数更新部２４０1、第２再生用信号生成部１３１2及び選択部１３２へ送られる。
【００５２】
図３に戻り、上記の誤差算出部２３０1は、デジタルフィルタ部２２０1から送られた信号ＦＬＤ1を受ける。引き続き、誤差算出部２３０1は、信号ＦＬＤ1に基づいて、信号ＦＬＤ1の包絡線信号を算出する。そして、誤差算出部２３０1は、算出された包絡線信号、及び、内部に保持している基準レベルＡに基づいて、当該包絡線信号（ひいては、信号ＦＬＤ1）のレベルと基準レベルＡとの差を反映した誤差ＥＲ1（＝ε（Ｔ））を算出する。こうして算出された誤差ＥＲ1は、係数更新部２４０1及び制御ユニット１９０Ａへ送られる。
【００５３】
なお、誤差ＥＲ1の絶対値は、信号ＦＬＤ1の信号品質を反映している。ここで、誤差ＥＲ1の絶対値が小さなほど、信号ＦＬＤ1の信号品質が高い。これは、デジタルフィルタ部２２０1で行われるフィルタリング処理による信号ＩＦＤMに対する補正量が少なく、アンテナ１１０Mで再生チャンネルの放送波を受信した際の受信品質が高くなっているといえるためである。
【００５４】
上記の係数更新部２４０1は、ＲＦ処理ユニット１２０Mから送られた信号ＩＦＤM（＝Ｘ0（Ｔ）＝Ｘm（Ｔ−ｍ・τ））、デジタルフィルタ部２２０1から送られた信号ＦＬＤ1（＝Ｙ（Ｔ））、及び、誤差算出部２３０1から送られた誤差ＥＲ1（＝ε（Ｔ））を受ける。そして、係数更新部２４０1は、信号ＩＦＤM（＝Ｘ0（Ｔ））、信号ＦＬＤ1（＝Ｙ（Ｔ））及び誤差ＥＲ1（＝ε（Ｔ））に基づいて、新たなタップ係数Ｋm（Ｔ＋τ）を算出する。こうして算出された新たなタップ係数Ｋm（Ｔ＋τ）は、係数指定ＣＥＦ1として、デジタルフィルタ部２２０1へ送られる。
【００５５】
なお、第１実施形態では、上述した非特許文献１の「２．１」に開示されているアルゴリズムを採用して、誤差算出部２３０1及び係数更新部２４０1において、誤差ＥＲ1（＝ε（Ｔ））及び新たなタップ係数Ｋm（Ｔ＋τ）を算出するようになっている。
【００５６】
（第２再生用信号生成部１３１2の構成）
次いで、上述した第２再生用信号生成部１３１2の構成について説明する。
【００５７】
第２再生用信号生成部１３１2は、図５に示されるように、デジタルフィルタ部２２０2と、誤差算出部２３０2と、係数更新部２４０2とを備えている。また、第２再生用信号生成部１３１2は、乗算部２５０と、加算部２６０とを備えている。
【００５８】
上記のデジタルフィルタ部２２０2は、上述したデジタルフィルタ部２２０1（図４参照）と同様に構成されている。このデジタルフィルタ部２２０2は、ＲＦ処理ユニット１２０Sから送られた信号ＩＦＤSを受ける。そして、デジタルフィルタ部２２０2は、係数更新部２４０2から送られた係数指定ＣＥＦ2に従って、フィルタリング演算を行い、信号ＤＦＤを生成する。こうして生成された信号ＤＦＤは、加算部２６０へ送られる。
【００５９】
上記の乗算部２５０は、第１再生用信号生成部１３１1から送られた信号ＦＬＤ1を受ける。そして、乗算部２５０は、信号ＦＬＤ1に、予め定められた定数αを乗じる。乗算部２５０による乗算結果は、信号ＭＹＤとして、加算部２６０へ送られる。
【００６０】
なお、第１実施形態では、定数αを「１／２」としている。
【００６１】
上記の加算部２６０は、デジタルフィルタ部２２０2から送られた信号ＤＦＤ、及び、乗算部２５０から送られた信号ＭＹＤを受ける。そして、加算部２６０は、信号ＤＦＤと信号ＭＹＤとを加算する。加算部２６０による加算結果は、信号ＦＬＤ2として、誤差算出部２３０2、係数更新部２４０2及び選択部１３２へ送られる。
【００６２】
上記の誤差算出部２３０2は、上述した誤差算出部２３０1と同様に構成されている。この誤差算出部２３０2は、加算部２６０から送られた信号ＦＬＤ2を受ける。引き続き、誤差算出部２３０2は、信号ＦＬＤ2に基づいて、信号ＦＬＤ2の包絡線信号を算出する。そして、誤差算出部２３０2は、算出された包絡線信号、及び、内部に保持している基準レベルＡに基づいて、当該包絡線信号（ひいては、信号ＦＬＤ2）のレベルと基準レベルＡとの差を反映した誤差ＥＲ2を算出する。こうして算出された誤差ＥＲ2は、係数更新部２４０2及び制御ユニット１９０Ａへ送られる。
【００６３】
なお、誤差ＥＲ2の絶対値は、信号ＦＬＤ2の信号品質を反映している。ここで、誤差ＥＲ2の絶対値が小さなほど、信号ＦＬＤ2の信号品質が高い。そして、誤差ＥＲ2の絶対値が誤差ＥＲ1の絶対値よりも大きな場合には、信号ＩＦＤSを加味して信号ＦＬＤ2を生成したため、信号ＦＬＤ1のみで得られる信号品質以下の信号ＦＬＤ2となってしまっているといえる。
【００６４】
上記の係数更新部２４０2は、上述した係数更新部２４０1と同様に構成されている。この係数更新部２４０2は、ＲＦ処理ユニット１２０Sから送られた信号ＩＦＤS、加算部２６０から送られた信号ＦＬＤ2、及び、誤差算出部２３０2から送られた誤差ＥＲ2を受ける。そして、係数更新部２４０2は、信号ＩＦＤS、信号ＦＬＤ2及び誤差ＥＲ2に基づいて、新たなタップ係数Ｋm（Ｔ＋τ）を算出する。こうして算出された新たなタップ係数Ｋm（Ｔ＋τ）は、係数指定ＣＥＦ2として、デジタルフィルタ部２２０2へ送られる。
【００６５】
なお、上述したように、誤差算出部２３０2が誤差算出部２３０1と同様に構成され、かつ、係数更新部２４０2が係数更新部２４０1と同様に構成されているので、信号ＦＬＤ1のレベルと信号ＦＬＤ2のレベルとは、同一化されるようになっている。
【００６６】
［動作］
次に、上記のように構成されたダイバーシティ受信装置１００Ａの動作について、信号処理ユニット１３０Ａにより行われる信号処理、及び、制御ユニット１９０Ａにより行われる信号選択制御処理に主に着目して説明する。
【００６７】
前提として、ダイバーシティ受信装置１００Ａは、放送受信動作を開始しており、制御ユニット１９０Ａは、入力ユニット１７０に入力された選局指定に従って、再生チャンネルの設定をＲＦ処理ユニット１２０M，１２０Sに対して行っているものとする。この結果、ＲＦ処理ユニット１２０M，１２０Sからは、再生チャンネルの放送波のアンテナ１１０M，１１０Sによる受信結果に対応する信号ＩＦＤM，ＩＦＤSが信号処理ユニット１３０Ａへ送られているものとする（図１参照）。
【００６８】
また、制御ユニット１９０Ａは、入力ユニット１７０に入力された出力音量の指定に従って生成された音量指定ＶＬＣを音出力ユニット１６０L，１６０Rへ送っているものとする（図１参照）。
【００６９】
こうした状態において、信号処理ユニット１３０Ａによる信号処理が実行される。かかる信号処理に際して、信号処理ユニット１３０Ａでは、第１再生用信号生成部１３１1が、ＲＦ処理ユニット１２０Mから送られた信号ＩＦＤMを受ける。引き続き、第１再生用信号生成部１３１1におけるデジタルフィルタ部２２０1、誤差算出部２３０1及び係数更新部２４０1が上述したように協働して、信号ＩＦＤMに対して適応フィルタリング処理を施し、レベルを一定化した信号ＦＬＤ1を生成する。そして、第１再生用信号生成部１３１1が、生成された信号ＦＬＤ1を第２再生用信号生成部１３１2及び選択部１３２へ送るとともに、誤差算出部２３０1により算出された誤差ＥＲ1を制御ユニット１９０Ａへ送る（図３参照）。
【００７０】
また、信号処理ユニット１３０Ａでは、第２再生用信号生成部１３１2が、ＲＦ処理ユニット１２０Sから送られた信号ＩＦＤSを受ける。また、第２再生用信号生成部１３１2が、第１再生用信号生成部１３１1から送られた信号ＦＬＤ1を受ける（図５参照）。
【００７１】
引き続き、第２再生用信号生成部１３１2におけるデジタルフィルタ部２２０2、誤差算出部２３０2、係数更新部２４０2、乗算部２５０及び加算部２６０が上述したように協働して、信号ＩＦＤSに対して適応フィルタリング処理を施し、この適応フィルタリング処理により得られた信号ＤＦＤと信号ＦＬＤ1とを重み付け加算した信号のレベルを一定化した信号ＦＬＤ2を生成する。そして、第２再生用信号生成部１３１2が、生成された信号ＦＬＤ2を選択部１３２へ送るとともに、誤差算出部２３０2により算出された誤差ＥＲ2を制御ユニット１９０Ａへ送る（図５参照）。
【００７２】
第１再生用信号生成部１３１1から送られた誤差ＥＲ1、及び、第２再生用信号生成部１３１2から送られた誤差ＥＲ2を受けると、制御ユニット１９０Ａは、誤差ＥＲ2の絶対値が誤差ＥＲ1の絶対値よりも所定差以上に大きいか否かを判定する。そして、当該判定の結果が肯定的であった場合には、制御ユニット１９０Ａは、信号ＦＬＤ1を指定した選択指定ＳＬＣを生成する。そして、制御ユニット１９０Ａは、生成された選択指定ＳＬＣを信号処理ユニット１３０Ａへ送る（図２参照）。
【００７３】
一方、当該判定の結果が否定的であった場合には、制御ユニット１９０Ａは、信号ＦＬＤ2を指定した選択指定ＳＬＣを生成する。そして、制御ユニット１９０Ａは、生成された選択指定ＳＬＣを信号処理ユニット１３０Ａへ送る（図２参照）。
【００７４】
なお、上述した所定差は、高品質の音声の再生の確保、及び、選択指定ＳＬＣで選択される信号の変更頻度を抑制するとの観点から、実験、シミュレーション、経験等に基づいて、予め定められる。
【００７５】
信号処理ユニット１３０Ａでは、選択部１３２が、制御ユニット１９０Ａから送られた選択指定ＳＬＣを受ける。そして、選択部１３２は、選択指定ＳＬＣで指定された信号を、信号ＳＬＤとして、検波部１３３へ送る。（図２参照）
【００７６】
選択部１３２から送られた信号ＳＬＤを受けると、検波部１３３は、信号ＳＬＤに対して検波処理を施して信号ＣＳＤを生成する。そして、検波部１３３は、生成された信号ＣＳＤを、信号処理ユニット１３０Ａの出力信号としてステレオ復調ユニット１４０へ送る（図２参照）。
【００７７】
信号処理ユニット１３０Ａから送られた信号ＣＳＤを受けると、ステレオ復調ユニット１４０は、セパレーション処理を含めたステレオ復調処理を信号ＣＳＤに対して施し、出力音声信号ＡＯＤL，ＡＯＤRを生成する。そして、ステレオ復調ユニット１４０は、生成された出力音声信号ＡＯＤL，ＡＯＤRを、音出力ユニット１６０L，１６０Rへ送る。この結果、音出力ユニット１６０L，１６０Rから、音量指定ＶＬＣに従った音量で、出力音声信号ＡＯＤL，ＡＯＤRに対応する音声が出力される。
【００７８】
以上説明したように、第１実施形態では、ＲＦ処理ユニット１２０Mが、アンテナ１１０Mで受信した再生チャンネルの放送信号の周波数変換を行って、信号ＩＦＤMを生成する。また、ＲＦ処理ユニット１２０Sが、アンテナ１１０Sで受信した再生チャンネルの放送信号の周波数変換を行って、信号ＩＦＤSを生成する。
【００７９】
引き続き、第１再生用信号生成部１３１1が、信号ＩＦＤMに対して適応フィルタリング処理を行い、レベルを一定化した信号ＦＬＤ1を生成する。また、第２再生用信号生成部１３１2が、信号ＩＦＤSに対して適応フィルタリング処理を行い、この適応フィルタリング処理により得られた信号ＤＦＤと、信号ＦＬＤ1とを重み付け加算した信号のレベルを一定化した信号ＦＬＤ2を生成する。そして、制御ユニット１９０Ａが、信号ＦＬＤ1のレベルと基準レベルとのレベル差を反映した誤差ＥＲ1、及び、信号ＦＬＤ2のレベルと当該基準レベルとのレベル差を反映した誤差ＥＲ2に基づいて、制御ユニット１９０Ａが、信号ＦＬＤ1及び信号ＦＬＤ2のいずれを再生用の信号として用いるかの選択を制御する。
【００８０】
したがって、第１実施形態によれば、適応フィルタリング処理及び合成ダイバーシティの特性を活かしつつ、再生用の信号の信号品質を高めることができる。
【００８１】
また、第１実施形態では、第１再生用信号生成部１３１1における適応フィルタリング処理により生成される信号ＦＬＤ1のレベルと、第２再生用信号生成部１３１2における適応フィルタリング処理により生成される信号ＦＬＤ2のレベルとが同一化される。このため、再生用の信号の選択の変更時における再生音の変化量が抑制され、利用者に違和感の発生を防止することができる。
【００８２】
また、第１実施形態では、制御ユニット１９０Ａは、誤差ＥＲ1の絶対値が、誤差ＥＲ2の絶対値よりも所定差以上小さな場合に、信号ＦＬＤ1を選択させる制御を行う。このため、高品質の音声の再生を確保しつつ、選択される信号の変更頻度を抑制することができる。
【００８３】
［第２実施形態］
次に、本発明の第２実施形態を、図６及び図７を主に参照して説明する。
【００８４】
＜構成＞
図６には、第２実施形態に係るダイバーシティ受信装置１００Ｂの概略的な構成がブロック図にて示されている。この図６に示されるように、ダイバーシティ受信装置１００Ｂは、上述した第１実施形態のダイバーシティ受信装置１００Ａ（図１参照）と比べて、信号処理ユニット１３０Ａに代えて信号処理ユニット１３０Ｂを備える点、及び、制御ユニット１９０Ａに代えて制御ユニット１９０Ｂを備える点が異なっている。以下、これらの相違点に主に着目して説明する。
【００８５】
上記の信号処理ユニット１３０Ｂは、図７に示されるように、上述した信号処理ユニット１３０Ａ（図２参照）と比べて、選択部１３２及び検波部１３３に代えて、検波部１３４1，１３４2、ノイズレベル検出部１３５1，１３５2及び選択部１３６を備える点が異なっている。
【００８６】
上記の検波部１３４1は、第１再生用信号生成部１３１1から送られた信号ＦＬＤ1を受ける。そして、検波部１３４1は、信号ＦＬＤ1に対して検波処理を施して信号ＤＴＤ1を生成する。こうして生成された信号ＤＴＤ1は、ノイズレベル検出部１３５1及び選択部１３６へ送られる。
【００８７】
上記の検波部１３４2は、第２再生用信号生成部１３１2から送られた信号ＦＬＤ2を受ける。そして、検波部１３４2は、信号ＦＬＤ2に対して検波処理を施して信号ＤＴＤ2を生成する。こうして生成された信号ＤＴＤ2は、ノイズレベル検出部１３５2及び選択部１３６へ送られる。
【００８８】
上記のノイズレベル検出部１３５1は、検波部１３４1から送られた信号ＤＴＤ1を受ける。そして、ノイズレベル検出部１３５1は、信号ＤＴＤ1における音声帯域外の所定の高周波帯域の成分のレベルを検出する。ノイズレベル検出部１３５1による検出結果は、ノイズレベルＮＤ1として、制御ユニット１９０Ｂへ送られる。
【００８９】
なお、ノイズレベルＮＤ1は、信号ＤＴＤ1の信号品質を反映しているといえる。ここで、ノイズレベルＮＤ1が低いほど、信号ＤＴＤ1の信号品質が高いといえる。
【００９０】
上記のノイズレベル検出部１３５2は、検波部１３４2から送られた信号ＤＴＤ2を受ける。そして、ノイズレベル検出部１３５2は、信号ＤＴＤ2における音声帯域外の所定の高周波帯域の成分のレベルを検出する。ノイズレベル検出部１３５2による検出結果は、ノイズレベルＮＤ2として、制御ユニット１９０Ｂへ送られる。
【００９１】
なお、ノイズレベルＮＤ2は、信号ＤＴＤ2の信号品質を反映しているといえる。ここで、ノイズレベルＮＤ2が低いほど、信号ＤＴＤ2の信号品質が高いといえる。そして、ノイズレベルＮＤ2がノイズレベルＮＤ1よりも高い場合には、信号ＩＦＤSを加味して信号ＦＬＤ2を生成したため、信号ＦＬＤ1のみで得られる信号品質以下の信号ＦＬＤ2となってしまっているといえる。
【００９２】
上記の選択部１３６は、検波部１３４1から送られた信号ＤＴＤ1、及び、検波部１３４2から送られた信号ＤＴＤ2を受ける。そして、選択部１３６は、制御ユニット１９０Ｂから送られた選択指定ＳＬＣに従って信号ＤＴＤ1及び信号ＤＴＤ2のいずれか選択し、選択された信号を、信号ＣＳＤとして、ステレオ復調ユニット１４０へ送る。
【００９３】
上記の制御ユニット１９０Ｂは、上述した制御ユニット１９０Ａと比べて、誤差ＥＲ1，ＥＲ2に代えてノイズレベルＮＤ1，ＮＤ2を受ける点が異なっている。そして、制御ユニット１９０Ｂは、ノイズレベルＮＤ1，ＮＤ2に基づいて、選択指定ＳＬＣを生成し、生成された選択指定ＳＬＣを信号処理ユニット１３０Ｂへ送る。なお、制御ユニット１９０Ｂによる選択指定ＳＬＣの生成処理については、後述する。
【００９４】
［動作］
次に、上記のように構成されたダイバーシティ受信装置１００Ｂの動作について、信号処理ユニット１３０Ｂにより行われる信号処理、及び、制御ユニット１９０Ｂにより行われる信号選択制御処理に主に着目して説明する。
【００９５】
前提として、ダイバーシティ受信装置１００Ｂは、放送受信動作を開始しており、制御ユニット１９０Ｂは、入力ユニット１７０に入力された選局指定に従って、再生チャンネルの設定をＲＦ処理ユニット１２０M，１２０Sに対して行っているものとする。この結果、ＲＦ処理ユニット１２０M，１２０Sからは、再生チャンネルの放送波のアンテナ１１０M，１１０Sによる受信結果に対応する信号ＩＦＤM，ＩＦＤSが信号処理ユニット１３０Ｂへ送られているものとする（図６参照）。
【００９６】
また、制御ユニット１９０Ｂは、入力ユニット１７０に入力された出力音量の指定に従って生成された音量指定ＶＬＣを音出力ユニット１６０L，１６０Rへ送っているものとする（図６参照）。
【００９７】
こうした状態において、信号処理ユニット１３０Ｂによる信号処理が実行される。かかる信号処理に際して、信号処理ユニット１３０Ｂでは、第１再生用信号生成部１３１1が、ＲＦ処理ユニット１２０Mから送られた信号ＩＦＤMを受ける。引き続き、第１再生用信号生成部１３１1が、第１実施形態の場合と同様に動作して信号ＦＬＤ1を生成する。そして、第１再生用信号生成部１３１1が、生成された信号ＦＬＤ1を第２再生用信号生成部１３１2及び検波部１３４1へ送る（図７参照）。
【００９８】
また、信号処理ユニット１３０Ｂでは、第２再生用信号生成部１３１2が、ＲＦ処理ユニット１２０Sから送られた信号ＩＦＤSを受ける。また、第２再生用信号生成部１３１2が、第１再生用信号生成部１３１1から送られた信号ＦＬＤ1を受ける。引き続き、第２再生用信号生成部１３１2が、第１実施形態の場合と同様に動作して信号ＦＬＤ2を生成する。そして、第２再生用信号生成部１３１2が、生成された信号ＦＬＤ2を検波部１３４2へ送る（図７参照）。
【００９９】
第１再生用信号生成部１３１1から送られた信号ＦＬＤ1を受けると、検波部１３４1は、信号ＦＬＤ1に対して検波処理を施して信号ＤＴＤ1を生成する。そして、検波部１３４1は、生成された信号ＤＴＤ1を、ノイズレベル検出部１３５1及び選択部１３６へ送る（図７参照）。
【０１００】
第２再生用信号生成部１３１2から送られた信号ＦＬＤ2を受けると、検波部１３４2は、信号ＦＬＤ2に対して検波処理を施して信号ＤＴＤ2を生成する。そして、検波部１３４2は、生成された信号ＤＴＤ2を、ノイズレベル検出部１３５2及び選択部１３６へ送る（図７参照）。
【０１０１】
検波部１３４1から送られた信号ＤＴＤ1を受けると、ノイズレベル検出部１３５1は、信号ＤＴＤ1における音声帯域外の所定の高周波帯域の成分のレベルを検出する。そして、ノイズレベル検出部１３５1は、検出結果を、ノイズレベルＮＤ1として、制御ユニット１９０Ｂへ送る。
【０１０２】
また、検波部１３４2から送られた信号ＤＴＤ2を受けると、ノイズレベル検出部１３５2は、信号ＤＴＤ2における音声帯域外の所定の高周波帯域の成分のレベルを検出する。そして、ノイズレベル検出部１３５2は、検出結果を、ノイズレベルＮＤ2として、制御ユニット１９０Ｂへ送る。
【０１０３】
ノイズレベル検出部１３５1から送られたノイズレベルＮＤ1、及び、ノイズレベル検出部１３５2から送られたノイズレベルＮＤ2を受けると、制御ユニット１９０Ｂは、ノイズレベルＮＤ2がノイズレベルＮＤ1よりも所定レベル差以上に高いか否かを判定する。そして、当該判定の結果が肯定的であった場合には、制御ユニット１９０Ｂは、信号ＦＬＤ1に基づいて検波部１３４1により生成された信号ＤＴＤ1を指定した選択指定ＳＬＣを生成する。そして、制御ユニット１９０Ｂは、生成された選択指定ＳＬＣを信号処理ユニット１３０Ｂへ送る（図７参照）。
【０１０４】
一方、当該判定の結果が否定的であった場合には、制御ユニット１９０Ｂは、信号ＦＬＤ2に基づいて検波部１３４2により生成された信号ＤＴＤ2を指定した選択指定ＳＬＣを生成する。そして、制御ユニット１９０Ｂは、生成された選択指定ＳＬＣを信号処理ユニット１３０Ｂへ送る（図７参照）。
【０１０５】
なお、上述した所定レベル差は、高品質の音声の再生の確保、及び、選択指定ＳＬＣで選択される信号の変更頻度を抑制するとの観点から、実験、シミュレーション、経験等に基づいて、予め定められる。
【０１０６】
信号処理ユニット１３０Ｂでは、選択部１３６が、制御ユニット１９０Ｂから送られた選択指定ＳＬＣを受ける。そして、選択部１３６は、選択指定ＳＬＣで指定された信号を、信号処理ユニット１３０Ｂの出力信号ＣＳＤとして、ステレオ復調ユニット１４０へ送る（図７参照）。
【０１０７】
信号処理ユニット１３０Ｂから送られた信号ＣＳＤを受けると、ステレオ復調ユニット１４０は、第１実施形態の場合と同様に動作して、出力音声信号ＡＯＤL，ＡＯＤRを生成する。そして、ステレオ復調ユニット１４０は、生成された出力音声信号ＡＯＤL，ＡＯＤRを、音出力ユニット１６０L，１６０Rへ送る。この結果、音出力ユニット１６０L，１６０Rから、音量指定ＶＬＣに従った音量で、出力音声信号ＡＯＤL，ＡＯＤRに対応する音声が出力される。
【０１０８】
以上説明したように、第２実施形態では、ＲＦ処理ユニット１２０Mが、アンテナ１１０Mで受信した再生チャンネルの放送信号の周波数変換を行って、信号ＩＦＤMを生成する。また、ＲＦ処理ユニット１２０Sが、アンテナ１１０Sで受信した再生チャンネルの放送信号の周波数変換を行って、信号ＩＦＤSを生成する。
【０１０９】
引き続き、第１再生用信号生成部１３１1が、信号ＩＦＤMに対して適応フィルタリング処理を行い、レベルを一定化した信号ＦＬＤ1を生成する。また、第２再生用信号生成部１３１2が、信号ＩＦＤSに対して適応フィルタリング処理を行い、この適応フィルタリング処理により得られた信号ＤＦＤと、信号ＦＬＤ1とを重み付け加算した信号のレベルを一定化した信号ＦＬＤ2を生成する。
【０１１０】
次に、検波部１３４1が、信号ＦＬＤ1に対して検波処理を施して信号ＤＴＤ1を生成するとともに、検波部１３４2が、信号ＦＬＤ2に対して検波処理を施して信号ＤＴＤ2を生成する。また、ノイズレベル検出部１３５1が、信号ＤＴＤ1のノイズレベルを検出するとともに、ノイズレベル検出部１３５2が、信号ＤＴＤ2のノイズレベルを検出する。
【０１１１】
そして、信号ＤＴＤ1のノイズレベルの検出結果であるノイズレベルＮＤ1、及び、信号ＤＴＤ2のノイズレベルの検出結果であるノイズレベルＮＤ2に基づいて、制御ユニット１９０Ｂが、信号ＤＴＤ1及び信号ＤＴＤ2のいずれかの選択、すなわち、信号ＦＬＤ1及び信号ＦＬＤ2のいずれを再生用の信号として用いるかの選択を制御する。
【０１１２】
したがって、第２実施形態によれば、適応フィルタリング処理及び合成ダイバーシティの特性を活かしつつ、再生用の信号の品質を高めることができる。
【０１１３】
また、第２実施形態では、第１実施形態の場合と同様に、第１再生用信号生成部１３１1における適応フィルタリング処理により生成される信号ＦＬＤ1のレベルと、第２再生用信号生成部１３１2における適応フィルタリング処理により生成される信号ＦＬＤ2のレベルとが同一化される。このため、再生用の信号の選択の変更時における再生音の変化量が抑制され、利用者に違和感の発生を防止することができる。
【０１１４】
また、第２実施形態では、第１実施形態の場合と同様に、制御ユニット１９０Ｂは、ノイズレベルＮＤ1が、ノイズレベルＮＤ2よりも所定レベル差以上小さな場合に、信号ＤＴＤ1を選択させる（ひいては、信号ＦＬＤ1を選択させる）制御を行う。このため、高品質の音声の再生を確保しつつ、選択される信号の変更頻度を抑制することができる。
【０１１５】
［実施形態の変形］
本発明は、上記の実施形態に限定されるものではなく、様々な変形が可能である。
【０１１６】
例えば、上記の第１及び第２実施形態では、信号ＦＬＤ1，ＦＬＤ2のレベルの一定化に際して、上述した非特許文献１の「２．１」に開示されているアルゴリズムを採用した。これに対し、信号ＦＬＤ1，ＦＬＤ2のレベルの一定化に際して、上述した非特許文献１の「２．２」に開示されているアルゴリズムを採用してもよい。さらに、他のアルゴリズムを採用してもよい。
【０１１７】
また、上記の第１及び第２実施形態では、定数αとして「１／２」を採用した。これに対し、実験、シミュレーション等により得られた他の値を、定数αとして採用してもよい。
【０１１８】
また、第１及び第２実施形態において、信号ＦＬＤ1が再生用に選択されている期間に、ＲＦ処理ユニット１２０Sに対して再生チャンネルとは異なるチャンネルを選局させるようにしてもよい。この場合には、選局中の再生チャンネルに対応する音声の再生品質を確保しつつ、受信可能な放送局を自動検索することができる。
【０１１９】
なお、上記の実施形態における制御ユニット及び信号処理ユニットをＣＰＵ（Central Processing Unit）、ＤＳＰ（Digital Signal Processor）等を備えた演算手段としてのコンピュータとして構成し、予め用意されたプログラムを当該コンピュータで実行することにより、上記の実施形態における制御ユニット及び信号処理ユニットの機能を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１２０】
１００Ａ，１００Ｂ        …  ダイバーシティ受信装置
１２０M                   …  ＲＦ処理ユニット（第１周波数変換部）
１２０S                   …  ＲＦ処理ユニット（第２周波数変換部）
１３１1                   …  第１再生用信号生成部
１３１2                   …  第２再生用信号生成部
１３４1                   …  検波部（第１検波部）
１３４2                   …  検波部（第２検波部）
１３５1                   …  ノイズレベル検出部（第１ノイズレベル検出部）
１３５2                   …  ノイズレベル検出部（第２ノイズレベル検出部）
１９０Ａ，１９０Ｂ        …  制御ユニット（制御部）
【図１】
2016154295.tif 000003
【図２】
2016154295.tif 000004
【図３】
2016154295.tif 000005
【図４】
2016154295.tif 000006
【図５】
2016154295.tif 000007
【図６】
2016154295.tif 000008
【図７】
2016154295.tif 000009